(57)【要約】      （修正有）【課題】主収容空間の転輪から遠い側に補助の収容空間を備え、その補助の収容空間を用いて取っ手部分を鈍角のままでケース本体に沿わせた格納姿勢となるようにする。【解決手段】主収容部の矩形の底面１０Ｃにおける一端側の短辺とそれに連なる周壁面１０Ｂとを含むコーナー領域Ｃ１に転輪２を備え、対角位置にあるコーナー領域Ｃ２の近くに取っ手３を備え、補助収容部は、主収容部の転輪２が配設されたコーナー領域Ｃ１から遠い箇所に収容空間が位置し、取っ手３は、天井面１０Ａに沿って伸縮調節可能な腕杆部３Ｂと、その腕杆部３Ｂの先端部で曳行方向に沿って配設された握り部３Ａとを備え、その腕杆部３Ｂと握り部３Ａとの交叉角θが鈍角に形成されて、握り部３Ａの先端側が取っ手３の収縮姿勢で補助収容部の外縁近くに位置する。【選択図】図２
2009095509.tif 000002
【特許請求の範囲】
【請求項１】
長辺と短辺とを備える矩形の底面と、その底面に対向する天井面と、底面と天井面との間を繋ぐ周壁面とで構成され、かつ前記底面と天井面との距離に相当する周壁面の高さが底面の短辺の長さよりも大である箱状に形成された主収容部と、その主収容部とは区画された小空間を形成する補助収容部とを備えてケース本体を構成するとともに、
前記底面における一端側の短辺と、その短辺に連なる周壁面とを含むコーナー領域に、前記短辺に沿う方向の横軸芯まわりで回動するように配設した左右一対の転輪と、前記コーナー領域に対して対角位置にある前記天井面と周壁面とを含むコーナー領域の近くに取り付けた取っ手とを備え、
前記補助収容部は、前記転輪が配設されたコーナー領域から遠い箇所に収容空間が位置するように、そのコーナー領域から遠い箇所の主収容部の周壁面に連設され、
前記取っ手は、前記天井面に沿って伸縮調節可能な腕杆部と、その腕杆部の先端部に装着されて前記転輪の横軸芯に交差する曳行方向に沿って配設された握り部とを備え、その腕杆部と握り部との交叉角が鈍角に形成されて、前記握り部の先端側が取っ手の収縮姿勢で補助収容部の外縁近くに位置するように構成してある曳行用鞄。
【請求項２】
補助収容部は主収容部の収容空間の外部に形成されている請求項１記載の曳行用鞄。
【請求項３】
補助収容部は主収容部の収容空間の内部に形成されている請求項１記載の曳行用鞄。
【発明の詳細な説明】
【技術分野】
【０００１】
本発明は、荷重を支持する転輪と曳行用の取っ手とを備えた旅行鞄やビジネス用の鞄など、箱状のケースを主として傾けて引きながら運搬するための転輪付きの曳行用鞄のうち、曳行姿勢におけるケース本体の前後方向寸法よりも左右方向の幅が狭く構成された幅狭型の曳行用鞄に関する。
【背景技術】
【０００２】
この種の曳行用鞄としては、本発明の出願人が先に提案した下記特許文献１及び２に記載の構造のものが知られている。
すなわち、この特許文献１及び２に記載の構造のものでは、ケース本体の天井面側に伸縮可能な取っ手を備え、曳行時に取っ手の握り部が水平に近い姿勢で前後方向に向き、かつケース本体の重心を通る鉛直線の近くに握り部が位置するように構成されている。このように構成すると、曳行者は、上肢を自然に身体の横側に垂らした状態に近い姿勢で握り部を楽に把持しながら、幅狭型のケース本体を曳行者の横脇に位置させて前後左右の占有面積少なく曳行できる。しかも、曳行に伴うケース本体の横倒れや、ケース本体の前後方向での重心移動に伴う後倒れ現象を避けて、軽快に曳行し易い点で有用なものである。ｌ
【０００３】
【特許文献１】特開２００７−２０６７１号公報（段落番号００２７−００２９、図１、図２）
【特許文献２】特開２００７−１４３５７５号公報（段落番号００１５−００１７、図１）
【発明の開示】
【発明が解決しようとする課題】
【０００４】
上記のように、前傾姿勢で曳行されるケース本体に対して取っ手の握り部が水平に近い姿勢で前後方向に向くようにするために、特許文献１に記載の構造のものでは、ケース本体の一部に鈍角のコーナー部を形成することで、鈍角に形成された取っ手の握り部がコーナー部の形状に沿う状態に設けられることにより、取っ手として屈伸構造を省略できるようにしたものである。
しかしながら、このように鈍角のコーナー部をケース本体に形成した場合、ケース本体内部の収容空間が正確な矩形箱状ではなく、部分的に変形した空間が生じてしまうので、例えば矩形のファイルや書類が、その変形した空間部分に入り込んで変形されてしまうなどの不具合を生じる虞がある。
【０００５】
本発明は、ケース本体の収容空間として、収容物が変形あるいは移動し難い主収容空間を備えることに加えて補助の収容空間を備え、その補助の収容空間を利用して鈍角の取っ手部分がケース本体の外郭からあまり離れない適正な格納姿勢にすることを目的とする。
【課題を解決するための手段】
【０００６】
〔解決手段１〕
本発明の曳行用鞄における上記目的を達成するための解決手段の１つは、長辺と短辺とを備える矩形の底面と、その底面に対向する天井面と、底面と天井面との間を繋ぐ周壁面とで構成され、かつ前記底面と天井面との距離に相当する周壁面の高さが底面の短辺の長さよりも大である箱状に形成された主収容部と、その主収容部とは区画された小空間を形成する補助収容部とを備えてケース本体を構成するとともに、前記底面における一端側の短辺と、その短辺に連なる周壁面とを含むコーナー領域に、前記短辺に沿う方向の横軸芯まわりで回動するように配設した左右一対の転輪と、前記コーナー領域に対して対角位置にある前記天井面と周壁面とを含むコーナー領域の近くに取り付けた取っ手とを備え、
前記補助収容部は、前記転輪が配設されたコーナー領域から遠い箇所に収容空間が位置するように、そのコーナー領域から遠い箇所の主収容部の周壁面に連設され、
前記取っ手は、前記天井面に沿って伸縮調節可能な腕杆部と、その腕杆部の先端部に装着されて前記転輪の横軸芯に交叉する曳行方向に沿って配設された握り部とを備え、その腕杆部と握り部との交叉角が鈍角に形成されて、前記握り部の先端側が取っ手の収縮姿勢で補助収容部の外縁近くに位置するように構成してある。
【０００７】
上記のように構成したことにより、主収容部としては通常の矩形箱状の収容空間を形成しながら、補助収容部を取っ手の伸縮移動方向での周壁面に設けることで、腕杆部に対して鈍角の交叉角を有して形成された握り部の先端側が、取っ手の収縮状態でも周壁面から離れて突出した状態となっていても、その握り部の先端側に補助収容部の外縁が接近して位置する。
その結果、ケース本体の外縁から握り部の先端側を大きく突出させることなく、握り部がケース本体の外縁に沿った状態で鈍角の取っ手を収縮させて格納することができる。しかも、主収容部とは区画された補助収容部を備えることで、その補助収容部に、主収容部とは異なる機能、例えば防水機能や断熱機能などを部分的に設け易くなる。
【０００８】
〔解決手段２〕
上記目的を達成するための第２の解決手段としては、請求項２に記載のように、補助収容部を主収容部の収容空間の外部に形成するとよい。
【０００９】
上記のように、主収容部とは別に補助収容部の収容空間を外部に設けることで、主収容部に収容されている物品の飛び出しなどを避けて、補助収容部を頻繁に開閉するなどの操作を行い易くなる。
【００１０】
〔解決手段３〕
上記目的を達成するための第３の解決手段としては、請求項３に記載のように、補助収容部を主収容部の収容空間の内部に形成してもよい。
【００１１】
上記のように、主収容部の内部に補助収容部の収容空間を設けることで、補助収容部を開閉操作するための操作具を省略して、主収容部の開閉操作具を共通の開閉操作具として両収容部を開閉操作可能に構成する、もしくは主収容部の開閉操作具で開閉される空間の内側に、補助収容部の開閉操作具で開閉される収容空間を設けて、二重の開閉構造を備えた収容空間を形成することができる。
【発明を実施するための最良の形態】
【００１２】
〔全体の構造〕
本発明の曳行用鞄は、箱状のケース本体１と、ケース本体１の下部に設けた転輪２と、ケース本体１の上部側でケース本体を曳行するための取っ手３とを備えて構成されている。
【００１３】
〔ケース本体〕
図１〜図４に示すように、ケース本体１は、矩形箱状に形成された主収容部１０と、その主収容部１０とは区画された小空間を形成する補助収容部１１とを備えて構成されている。前記主収容部１０は、長辺Ｌ１と短辺Ｌ２とを備える矩形の底面１０Ｃと、その底面１０Ｃに対向する天井面１０Ａと、前記底面１０Ｃと天井面１０Ａとの間を繋ぐ周壁面１０Ｂとを備え、かつ前記底面１０Ｃと天井面１０Ａとの距離に相当する周壁面１０Ｂの高さｈは、底面１０Ｃの短辺Ｌ２の長さよりも大きく設定されている。
そして、このケース本体１の前記底面１０Ｃにおける一端側の短辺Ｌ２と、その短辺Ｌ２に連なる周壁面１０Ｂとを含むコーナー領域Ｃ１に、前記短辺Ｌ２に沿う方向の横軸芯ｘまわりで回動する左右一対の転輪２の取付部を設けてあり、前記コーナー領域Ｃ１に対して対角位置にある前記天井面１０Ａと周壁面１０Ｂとを含むコーナー領域Ｃ２の近くに取っ手３の取付部を設けてある。
前記補助収容部１１は、前記転輪２が配設されたコーナー領域Ｃ１から遠い箇所に収容空間が位置するように、そのコーナー領域Ｃ１から遠い箇所の主収容部１０の周壁面１０Ｂ側に連設されている。
【００１４】
前記ケース本体１は、その主収容部１０の天井面１０Ａに相当する箇所に、収容物品の出し入れが可能な開口部が形成されているとともに、その開口部を開閉可能な揺動開閉式の左右一対の蓋体１２が設けられている。図中の符号１３は左右の蓋体１２同士を連結して施錠する止め金、符号１４はケース本体１の全体を持ち上げて手提げ状態で運搬する際に用いる提げ手である。主収容部１０の収容空間は、長辺Ｌ１を２分割するように仕切１５が設けてあり、ファイルや書類などの収容物７を分割された二つの空間に区分して収納可能に構成されている。
【００１５】
前記補助収容部１１は、前記主収容部１０の周壁面１０Ｂのうち、前記転輪２から遠い側の周壁面１０Ｂに連設してあり、底面１１Ｃは主収容部１０の底面１０Ｃと面一に形成されている。
補助収容部１１の周壁面１１Ｂは、その下半側部分が、ケース本体１の天井面１０Ａ側に装着された取っ手３が収縮状態であるときの、取っ手３の握り部３Ａの先端が主収容部１０の周壁面１０Ｂから離れる距離に近い程度の位置に設けてあり、周壁面１１Ｂのうちの上半側部分は、前記主収容部１０の天井面１０Ａに対して約１２０度の鈍角で交叉する傾斜面に形成されていて、最も収縮させた格納姿勢の取っ手３の握り部３Ａに沿って位置するように構成されている。
【００１６】
この補助収容部１１は、図２〜図４に示すように、その収容空間が左右方向で３分割されており、左右両端側の分割空間１１ａ、１１ｃにはそれぞれ開閉蓋１４が設けてあり、中央の分割空間１１ｂには開閉蓋は設けられていない。この中央の分割空間１１ｂは、周部が防水加工され、その底部１１ｄはパンチングメタルによって構成されていて、濡れた折り畳み傘６をそのまま収容可能に構成されている。また、左右の分割空間１１ａ、１１ｃのうち一方には断熱材を内張りしてあって、魔法瓶やペットボトルなどの飲料容器８を収容するに適した空間とし、他方の分割空間は、新聞や地図、あるいは筆記具などの小物９を収納するに適した空間として利用できるように構成してある。前記左右の分割空間１１ａ、１１ｃの開閉蓋１４は、面ファスナーやホック、あるいは磁石などの簡易固定具１４ａで簡単に開閉操作できるように構成されている。
【００１７】
〔転輪の構造〕
転輪２は、ケース本体１の底面１０Ｃにおける一端側の短辺Ｌ２に沿う横軸芯ｘまわりで回動するように設定して前記ケース本体１底部側に設けてある。つまり、ケース本体１の前記底面１０Ｃにおける一端側の短辺Ｌ２と、その短辺Ｌ２に連なる周壁面１０Ｂとを含むコーナー領域Ｃ１に、前記短辺Ｌ２に沿う方向の横軸芯ｘが配置されていて、左右一対の転輪２の取付部が構成されている。
【００１８】
〔取っ手の構造〕
取っ手３は、図２及び図５に示すように、ケース本体１の前記主収容部１０の天井面１０Ａに沿って伸縮調節可能な腕杆部３Ｂと、その腕杆部３Ｂの先端部に装着されて前記転輪２の横軸芯ｘに交叉する曳行方向に沿って配設された握り部３Ａとを備え、その腕杆部３Ｂと握り部３Ａとの交叉角θが鈍角に形成されている。
前記腕杆部３Ｂは、主収容部１０の天井面１０Ａの開口部を曳行方向に沿って縦断するように配置され、主収容部１０の周壁面１０Ｂの上端縁近くに固定された保持筒３０と、その保持筒３０に対して出退する引き手杆３１とを備え、引き手杆３１の抜き差し方向の移動によって腕杆部３Ｂの長さが伸縮自在に、かつ、周知の係合構造によって多段に突出長さ位置を変更自在に構成されている。図２における符号３２は、取っ手３の係合を解除して引き手杆３１を抜き差し操作するための操作ボタンである。
【００１９】
取っ手３の握り部３Ａは、図５に示すようにケース本体１を基準曳行姿勢で曳行する際に、つまり、転輪２の接地点Ｏの鉛直線ｙ上にケース本体１の重心Ｇが位置するようにケース本体１を前傾させた姿勢で曳行する際に、その握り部３Ａがほぼ水平姿勢となるように、腕杆部３Ｂに対して鈍角に傾斜して取り付けられている。この鈍角の程度は、路面に対するケース本体１の傾斜角度によって異なるが、約１２０度程度の交叉角θで取り付けられるのが望ましい。
【００２０】
取っ手３の腕杆部３Ｂは、ケース本体１の左右幅方向での中心線上に設けてあり、握り部３Ａは、腕杆部３Ｂの先端側に連結されていて、矩形ループ状に形成されている。
この取っ手３の前記鈍角の交叉角θは、最も収縮させた格納姿勢の取っ手３の握り部３Ａが補助収容部１１の傾斜した周壁部１１Ｂ部分を構成する開閉蓋１４に沿って位置するように設定された角度でもある。このために、前記補助収容部１１の周壁面１１Ｂのうちで前記主収容部１０の周壁面１０Ｂとの間に間隔を隔てて位置する周壁面１１Ｂの下半側部分は、収縮状態である取っ手３の握り部３Ａの先端が主収容部１０の周壁面１０Ｂから離れる距離に近い程度の距離を隔てた位置に設けてある。
【００２１】
本発明の実施の形態の別例を示す。
〔他の実施形態１〕
図６（Ｉ）及び（ＩＩ）に示す他の実施形態では、主収容部１０の周壁面１０Ｂの外側に補助収容部１１が別空間として形成され、それぞれが別々の開閉操作具を用いて開閉操作するように構成されている。
この実施形態では、主収容部１０がほぼ矩形箱状に形成されているとともに、底面１０Ｃと、天井面１０Ａと、その底面１０Ｃと天井面１０Ａとを曳行方向の前後で繋ぐ周壁面１０Ｂ部分とが、容易に変形しない程度の保形強度を有した硬質の合成樹脂材料で、連続した矩形の枠状部材１Ａで構成されている。
そして、前記矩形の枠状部材１Ａの左右両側に位置する周壁面１０Ｂで構成される横向き面１Ｂ部分では、その下方側の一部が前後の枠状部材１Ａ部分と一体化されて固定ケース壁部分１Ｂａを構成しており、横向き面１Ｂの残部が開閉自在な可動ケース壁部分１Ｂｂを構成している。
【００２２】
前記可動ケース壁部分１Ｂｂは、図６（Ｉ）及び（ＩＩ）に示されるように、その下方側の一端縁部分が、前記固定ケース壁部分１Ｂａの上側端縁に対して、横向き面１Ｂの面内における揺動支点線ＰＬ周りで揺動自在に連結されている。そして、可動ケース壁部分１Ｂｂの前記固定ケース壁部分１Ｂａに連結されていない残りの３辺の端縁部分は、前記矩形の枠状部材１Ａ部分に存在する前後の周壁面１０Ｂ，１０Ｂと天井面１０Ａとにわたって設けた開成操作具であるスライドファスナー１６によって開閉自在に連結してある。前記揺動支点線ＰＬと、前記３辺に沿うスライドファスナー１６とによって形成されるほぼ矩形の開口面が、ケース本体１の内部空間に対して左右両側から物品を出し入れ可能な開口部を形成している。
【００２３】
ケース本体１の前記底面１０Ｃにおける一端側には、前述の最良の実施の形態で示したように、その一端側の短辺Ｌ２に沿う横軸芯ｘまわりで回動する転輪２が設けてある。
また、取っ手３は、ケース本体１の前記主収容部１０の天井面１０Ａに沿って伸縮調節可能な腕杆部３Ｂと、その腕杆部３Ｂの先端部に装着されて前記転輪２の横軸芯ｘに交叉する曳行方向に沿って配設された握り部３Ａとを備え、その腕杆部３Ｂと握り部３Ａとの交叉角θが鈍角に形成されている。この取っ手３の腕杆部３Ｂは、左右一対の伸縮可能な腕杆部３Ｂによって構成してあり、握り部３Ａは左右の腕杆部３Ｂを延長する前後向きの棒状部分と、握り部３Ａの先端側同士を連結する横棒部分とで構成してある。
【００２４】
補助収容部１１は、ケース本体１の前後の周壁面１０Ｂ，１０Ｂのうち、転輪２から遠い前側の周壁面１０Ｂに付設されており、その補助収容部１１の上下方向の高さは、主収容部１０の底面１０Ｃから天井面１０Ａまでの高さよりも短く設定されている。そして、補助収容部１１の周壁面１１Ｂのうち、前記主収容部１０の前側の周壁面１０Ｂに対向する位置の周壁面１１Ｂは、取っ手３が収縮状態であるときの、取っ手３の握り部３Ａの先端が主収容部１０の周壁面１０Ｂから離れる距離に近い程度の位置に設けてあり、最も収縮させた格納姿勢の取っ手３の握り部３Ａ先端側が補助収容部１１の前記周壁面１１Ｂの最上部近くに位置するように、取っ手３との位置関係を定めてある。
取っ手３の最収縮状態で、取っ手３の握り部３Ａと主収容部１０の前側の周壁面１０Ｂと、補助収容部１１の上面との間には、ほぼ三角形状の隙間ｓができるが、これは握り部３Ａを把持する際に手指を挿入するに好都合である。この補助収容部１１は、前記主収容部１０の開閉操作を行うスライドファスナー１６とは別のスライドファスナー１７で開閉操作自在に構成されている。
【００２５】
〔他の実施形態２〕
図７（Ｉ），（ＩＩ）、及び図８はさらに他の実施形態を示している。この実施形態では、ケース本体１に主収容部１０と補助収容部１１とが別々の空間として区画形成されているが、それらはケース本体１の共通の内部空間に存在している。つまり、主収容部１０の収容空間の内部に補助収容部１１の収容空間が存在している。
この実施形態では、主収容部１０を構成する壁面のうち、底面１０Ｃと、天井面１０Ａと、その底面１０Ｃと天井面１０Ａとを曳行方向の前後で繋ぐ周壁面部分とが、容易に変形しない程度の保形強度を有した硬質の合成樹脂材料で、連続した枠状部材１Ａで構成されている点は前記「他の実施形態１」と同様であるが、その枠状部材１Ａが単なる矩形ではなく、左右一対の転輪２が配設された側のコーナー領域に対して対角位置にある前記天井面１０Ａと周壁面１０Ｂとを含むコーナー領域Ｃ２が鈍角に形成されている点で相違している。
そして、前記枠状部材１Ａの左右両側に位置する周壁面である横向き面１Ｂ部分では、前記「他の実施形態１」と同様に、その下方側の一部が前後の周壁面部分と一体化されて固定ケース壁部分１Ｂａを構成しており、横向き面１Ｂの残部が開閉自在な可動ケース壁部分１Ｂｂを構成し、開閉操作具として設けられたスライドファスナー１６によって開閉自在に構成されている。
【００２６】
この実施形態では、補助収容部１１がケース本体１の内部空間に設けてあり、主収容部１０の内部に補助収容部１１が存在する状態となっている。したがって、このケース本体１の主収容部１０のスライドファスナー１６を操作することによって、主収容部１０と補助収容部１１とが共に開閉されるように構成してある。
そして、主収容部１０と補助収容部１１とを仕切る仕切壁１８は、ケース本体１の底面１０Ｃと天井面１０Ａとの間にわたって設けてあり、天井側では、左右のスライドファスナー１６同士の間における天井面１０Ａに連結されるように、底面１０Ｃ側よりも左右幅を狭く形成してあり、底面１０Ｃ側では、底面１０Ｃの左右幅一杯に幅広く形成されている。主収容部１０の空間を仕切る仕切１５も、この仕切壁１８と同様に形成されている。
【００２７】
その他、転輪２や取っ手３の取付形態などは、前記「他の実施形態１」と同様に構成されている。この構造において、取っ手３の鈍角の交叉角θは、ケース本体１の前記天井面１０Ａと周壁面１０Ｂとを含むコーナー領域Ｃ２の角度に合致するように角度設定されている。
【００２８】
〔その他〕
本発明でいう基準曳行姿勢とは、ケース本体１の重心Ｇが転輪２の接地点Ｏの直上に位置する姿勢での曳行姿勢をいう。現実の重心Ｇの位置は必ずしもケース本体１の中心と一致するとは限らないが、便宜上、ケース本体１の側面視における中心を重心Ｇ相当位置として考える。
【００２９】
また、前記握り部３Ａは前記曳行姿勢でケース本体１の重心Ｇの直上位置に存在するのが望ましいが、ある程度前方側に存在していても、つまりケース本体１の横倒れ傾向が生じようとした場合の抵抗力を与えるのに不都合のない程度であれば、ある程度前方寄りに存在していても差し支えない。
このとき、握り部３０が地面に対してなす角度は、水平であるのが最も望ましいが、ある程度、例えば１０度以内程度の前上がり若しくは前下がりの傾斜角度を有したものであれば支障なく用いることができるものであり、要は、基準曳行姿勢で、ケース本体１の重心が後方側へ移行してケース本体１の後傾動作が生じようとしたとき、握り部３０を把持する操作者がケース本体１の後傾を阻止できるように操作力を加えることが問題なくできる程度の傾斜であることが必要である。
【００３０】
主収容部１０内を区画するように設けられる仕切１５、及び、主収容部１０内に補助収容部１１を形成するように区画するための仕切り壁１８は、硬質の部材で固定的に設けるものに限らず、軟質の布状部材や、ネット状部材で構成してもよい。また、ケース本体１の固定壁部分に対して着脱自在に構成したものであってもよい。
【図面の簡単な説明】
【００３１】
【図１】曳行用鞄の全体を示す斜視図
【図２】曳行用鞄の全体を示す斜視図
【図３】曳行用鞄の蓋体を開放した状態を示す平面図
【図４】曳行用鞄の断面図
【図５】曳行状態の曳行用鞄の全体を示す側面図
【図６】曳行用鞄の他の実施形態を示し、（Ｉ）は正面図、（ＩＩ）は側面図
【図７】曳行用鞄の他の実施形態を示し、（Ｉ）は正面図、（ＩＩ）は側面図
【図８】曳行用鞄の他の実施形態を示す斜視図
【符号の説明】
【００３２】
１            ケース本体
１Ａ          枠状部材
１Ｂ          横向き面
２            転輪
３            取っ手
３Ａ          握り部
３Ｂ          腕杆部
１０          主収容部
１０Ａ        天井面
１０Ｂ        周壁面
１０Ｃ        底面
１１          補助収容部
Ｃ１，Ｃ２    コーナー領域
Ｇ            重心
Ｏ            接地点
θ            交叉角
ｘ            横軸芯
ｙ            接地点を通る鉛直線
【図１】
2009095509.tif 000003
【図２】
2009095509.tif 000004
【図３】
2009095509.tif 000005
【図４】
2009095509.tif 000006
【図５】
2009095509.tif 000007
【図６】
2009095509.tif 000008
【図７】
2009095509.tif 000009
【図８】
2009095509.tif 000010